(57)【要約】【課題】投写型映像表示装置の電源を入れる前の仮設置の段階において、投写させることなく、簡単な構成により設置作業時の投写方向の正確性向上を図ることができる投写型映像表示装置を提供することを課題とする。【解決手段】投写型映像表示装置１は、筐体１００と、投写レンズ１１０と、前方凸部５０Ａ、後方凸部５０Ｂと、を備えている。筐体１００は、照明光学系と変調光学系とを内装する。投写レンズ１１０は、変調光学系で変調された映像を拡大投写するとともに、筐体１００の第１側面１００ｂに配置されている。前方凸部５０Ａおよび後方凸部５０Ｂは、投写レンズ１１０の光軸を含む面と筐体１００の上面１１０ａとの交線上に設けられている。【選択図】図１
2014197167.tif 000002
【特許請求の範囲】
【請求項１】
照明光学系と変調光学系とを内装する筐体と、
変調光学系で変調された映像を拡大投写するとともに、前記筐体の第１側面に配置された投写レンズと、
前記投写レンズの光軸を含む面と前記筐体の外表面を構成する１つの面との交線上に、前記投写レンズからの投写方向を示す指針として設けられた目印と、
を備えている投写型映像表示装置。
【請求項２】
前記目印は、前記交線上に、少なくとも２つ設けられている、
請求項１に記載の投写型映像表示装置。
【請求項３】
前記目印は、少なくとも前記筐体の外表面における前記投写レンズが配置されている前記第１側面側と、前記第１側面側と対向する第２側面側とに設けられている、
請求項１または２に記載の投写型映像表示装置。
【請求項４】
前記目印は、前記筐体の外表面を構成する１つの面から前記投写レンズの光軸までの距離が最短距離となる前記交線上に設けられている、
請求項１から３のいずれか１項に記載の投写型映像表示装置。
【請求項５】
前記目印は、前記投写レンズの光軸を含む面と前記筐体の外表面を構成する１つの面との交線を挟んで所定間隔隔てて設けられた突部の間に形成される溝部である、
請求項１から４のいずれか１項に記載の投写型映像表示装置。
【請求項６】
前記目印は、前記第１側面側から前記第２側面側まで延伸して設けられている、
請求項１から５のいずれか１項に記載の投写型映像表示装置。
【請求項７】
前記目印は、仮設置時の位置合わせ作業を補助する補助目印物が装着される載置部を有している、
請求項５または６に記載の投写型映像表示装置。
【請求項８】
前記目印は、蛍光処理されている、
請求項１から７のいずれか１項に記載の投写型映像表示装置。
【請求項９】
前記外表面を構成する１つの面は、設置された状態における前記筐体の上面である、
請求項１から８のいずれか１項に記載の投写型映像表示装置。
【請求項１０】
前記投写レンズは、前記第１側面の中央部に設けられている、
請求項１から９のいずれか１項に記載の投写型映像表示装置。
【発明の詳細な説明】
【技術分野】
【０００１】
本開示は、設置作業時に投写方向の指標となる目印を備えた投写型映像表示装置に関する。
【背景技術】
【０００２】
投写型映像表示装置は、近年ショーやイベント等への使用用途が増加しており、これまでのスクリーンとは違って、建築物等に多数の投写型映像表示装置から映像を投写する機会が増加している。
また、投写型映像表示装置の高輝度化に伴って、より遠距離の投写目標物に映像を投写することが可能な大型の投写型映像表示装置が用いられる機会も増加している。
【０００３】
しかしながら、遠距離からこのような建築物等の投写目標物に対して正確に映像を投写させるための投写型映像表示装置の設置作業は、設置作業者の勘に依存する部分が多い。
また、昼間の屋外設置時に、投写型映像表示装置を投写させながら設置作業を行ったとしても、昼間の明るさと投写目標物までが遠距離のため、投写映像を投写目標物に投写させながらの設置作業を行うことが困難になっている。
【先行技術文献】
【特許文献】
【０００４】
【特許文献１】特開２０１０−４９００７号公報
【発明の概要】
【発明が解決しようとする課題】
【０００５】
その結果、夜間のショーやイベントの前に、投写型映像表示装置を投写させた際には、投写型映像表示装置からの投写映像と投写目標とのズレが大きく、多数の投写型映像表示装置の投写方向を大幅に修正する必要がある。また、周囲が暗い環境での設置位置の修正作業は、設置作業の労力が増大してしまう問題があった。
特に、遠距離の投写目標物に対して映像を投写する大型の投写型映像表示装置の場合には、重量が増大し、接続される配線の数も増加していること等から、一旦、仮設置された位置から、再度、位置調整することは困難になるおそれがある。
【０００６】
また、天吊り設置作業性を向上させるために、例えば、特許文献１のように、予め筐体に取っ手を装着している投写型映像表示装置が開示されている。しかしながら、この取っ手は、設置作業時の投写方向の正確性を向上させるものではない。
本開示は、このような課題を解決するためになされたものであり、投写型映像表示装置に電源を入れる前の仮設置の段階において、簡単な構成により設置作業時の投写方向の正確性向上を図ることができる投写型映像表示装置を提供することを課題とする。
【課題を解決するための手段】
【０００７】
本開示の投写型映像表示装置は、筐体と、投写レンズと、目印と、を備えている。筐体は、照明光学系と変調光学系とを内装する。投写レンズは、変調光学系で変調された映像を拡大投写するとともに、筐体の第１側面に配置されている。目印は、投写レンズの光軸を含む面と筐体の外表面を構成する１つの面との交線上に、投写レンズからの投写方向を示す指針として設けられている。
【発明の効果】
【０００８】
本開示における投写型映像表示装置は、投写型映像表示装置を投写させることなく、仮設置作業時における投写方向の正確性を向上させることができる。
【図面の簡単な説明】
【０００９】
【図１】本開示の第１実施の形態に係る投写型映像表示装置の斜視図である。
【図２】図１の投写型映像表示装置の正面図である。
【図３】図２の内部機構を省略したＡ−Ａ’線矢視断面図である。
【図４】本開示の第２実施の形態に係る投写型映像表示装置の斜視図である。
【図５】図４の投写型映像表示装置の正面図である。
【図６】本開示の第３実施の形態に係る投写型映像表示装置の斜視図である。
【図７】図６の投写型映像表示装置の正面図である。
【図８】図７の内部機構を省略したＡ−Ａ’線矢視断面図である。
【図９】本開示の第４実施の形態に係る投写型映像表示装置の斜視図である。
【図１０】図９の投写型映像表示装置の正面図である。
【図１１】図１０の内部機構を省略したＡ−Ａ’線矢視断面図である。
【図１２】本開示の第５実施の形態に係る投写型映像表示装置の斜視図である。
【図１３】図１２の投写型映像表示装置の正面図である。
【図１４】図１３の内部機構を省略したＡ−Ａ’線矢視断面図である。
【図１５】本開示の第６実施の形態に係る投写型映像表示装置の斜視図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者らは、当業者が本開示を十分に理解するために添付図面および以下の説明を提供するのであって、これらによって特許請求の範囲に記載の主題を限定することを意図するものではない。
【００１１】
（第１実施の形態）
以下、図１〜図３を用いて、本開示の第１実施の形態について説明する。
投写型映像表示装置１は、図示しない照明光学系と変調光学系とを内装する筐体１００と、変調光学系で変調された映像を投写する投写光学系の一部であって筐体１００外に露出する投写レンズ１１０と、を備えている。
【００１２】
筐体１００は、図１から図３に示すように、上面（外表面）１００ａ、第１側面１００ｂ、第２側面１００ｃ、第３側面１００ｄ、第４側面１００ｅおよび底面１００ｆを有している。
上面１００ａは、筐体１００を構成する６つの面のうち、最も広い面積を有する面の１つであって、筐体１００の天面を構成し、平面視において略正方形の形状を有している。また、上面１００ａには、電源投入前の仮設置時に使用される目印として設けられた前方凸部５０Ａと後方凸部５０Ｂとが形成されている。
【００１３】
第１側面１００ｂは、中央部分に投写レンズ１１０が嵌め込まれる開口を有しており、大型スクリーン等の投写目標物に対して光を照射する使用時の姿勢における前面側の側面を構成する。
第２側面１００ｃは、第１側面１００ｂに対向する面であって、使用時の姿勢における背面側の側面を構成する。
【００１４】
第３側面１００ｄおよび第４側面１００ｅは、互いに対向する面であって、第１側面１００ｂと第２側面１００ｃとをつなぐ左右の側面を構成する。
底面１００ｆは、上面１００ａに対向する面であって、その上面には、図示しない照明光学系、変調光学系の部材が取り付けられている。
投写レンズ１１０は、大型スクリーン等の投写目標物に対して投写するために筐体１００の外部に露出する位置に設けられている。また、投写レンズ１１０は、筐体１００の第１側面１００ｂのほぼ中央部に設けられている。
【００１５】
前方凸部５０Ａは、図２に示すように、上面１００ａにおける投写レンズ１１０の直上に形成されており、上面１００ａから上方に向かって突出するように形成されている。より具体的には、前方凸部５０Ａは、上面１００ａ上であって、投写レンズ１１０の光軸ＡＸと上面１００ａとの距離が最短距離となる位置で、かつ投写レンズ１１０が設けられた第１側面１００ｂ側に配置されている。換言すれば、前方凸部５０Ａは、上面１００ａ上における投写レンズ１１０の直上であって、第１側面１００ｂ側の左右方向中央部分に配置されている。
【００１６】
後方凸部５０Ｂは、前方凸部５０Ａと同様に、上面１００ａから上方に向かって突出するように形成されている。また、後方凸部５０Ｂは、図１に示すように、上面１００ａ上であって、投写レンズ１１０の光軸ＡＸを含む平面と上面１００ａとが交差する交線上で、かつ投写レンズ１１０が設けられた第１側面１００ｂとは反対側の第２側面１００ｃ側に配置されている。つまり、後方凸部５０Ｂは、上面１００ａ上における第２側面１００ｃ側において、前方凸部５０Ａと同様に、左右方向中央部分に配置されている。
【００１７】
また、前方凸部５０Ａおよび後方凸部５０Ｂは、投写レンズ１１０からの投写方向を示す指針として設けられており、上面１００ａとともに一体成形されている。これにより、上面１００ａを樹脂等で成形する際に、前方凸部５０Ａと後方凸部５０Ｂとを一体化して成形することができる。
ここで、本実施形態の投写型映像表示装置１では、筐体１００を構成する上面１００ａにおける所定の位置に、前方凸部５０Ａ、後方凸部５０Ｂを設けている。
【００１８】
前方凸部５０Ａおよび後方凸部５０Ｂは、投写型映像表示装置１を設置する際に、電源投入前の仮設置の段階における位置合わせを実施するための目印として設けられている。
具体的には、仮設置時における位置合わせを実施する際には、使用者は、筐体１００の第２側面１００ｃ側に移動し、第２側面１００ｃ側から後方凸部５０Ｂと前方凸部５０Ａとが重なる方向と、大型スクリーン等の投写目標物の略中心位置とが重なるように、投写型映像表示装置１の位置合わせを実施する。
【００１９】
これにより、投写型映像表示装置１に電源を投入して投写させることなく、容易に投写型映像表示装置１の投写レンズ１１０の光軸ＡＸと投写目標物の中心とを略一致させることができる。よって、接続される配線の数が多く重量が大きい大型の投写型映像表示装置１を仮設置する場合でも、投写方向の正確性向上を図ることができる。
【００２０】
（第２実施の形態）
本開示の第２実施の形態について、図４および図５を用いて説明する。
なお、第１実施の形態において説明した部品と同じ機能を有する部品については、同一符号を付して説明を省略する。
本実施形態の投写型映像表示装置１Ａでは、筐体１００を構成する上面１００ａ上に、前方凸部５０Ａおよび後方凸部５０Ｂの代わりに、図４に示すように、前方突部５１Ａと、後方突部５１Ｂとが設けられている点で、上記第１実施の形態とは異なっている。
【００２１】
前方突部５１Ａは、図５に示すように、上面１００ａにおける投写レンズ１１０の直上に形成されており、上面１００ａから上方に向かって突出する凹状の部材として形成されている。より具体的には、前方突部５１Ａは、上面１００ａ上であって、投写レンズ１１０の光軸ＡＸと上面１００ａとの距離が最短距離となる位置で、かつ投写レンズ１１０が設けられた第１側面１００ｂ側に配置されている。換言すれば、前方突部５１Ａは、上面１００ａ上における投写レンズ１１０の直上であって、第１側面１００ｂ側の左右方向中央部分に配置されている。
【００２２】
後方突部５１Ｂは、前方突部５１Ａと同様に、上面１００ａから上方に向かって突出する凹状の部材として形成されている。また、後方突部５１Ｂは、図４に示すように、上面１００ａ上であって、投写レンズ１１０の光軸ＡＸを含む平面と上面１００ａとが交差する交線上で、かつ投写レンズ１１０が設けられた第１側面１００ｂとは反対側の第２側面１００ｃ側に配置されている。つまり、後方突部５１Ｂは、上面１００ａ上における第２側面１００ｃ側において、前方突部５１Ａと同様に、左右方向中央部分に配置されている。
【００２３】
また、前方突部５１Ａおよび後方突部５１Ｂは、投写レンズ１１０からの投写方向を示す指針として設けられており、上面１００ａとともに一体成形されている。これにより、上面１００ａを樹脂等で成形する際に、前方突部５１Ａと後方突部５１Ｂとを一体化して成形することができる。
ここで、本実施形態では、投写型映像表示装置１Ａの仮設置時に使用される目印として上面１００ａ上に形成された前方突部５１Ａと後方突部５１Ｂとが、それぞれ凹状に形成されている。このため、凹状の２つの突部分の間には、谷間５１ＡＡ，５１ＢＢがそれぞれ形成される。
【００２４】
これにより、仮設置時における位置合わせを実施する際には、使用者は、筐体１００の第２側面１００ｃ側に移動し、第２側面１００ｃ側から、後方突部５１Ｂの谷間５１ＢＢと前方突部５１Ａの谷間５１ＡＡとが重なった方向と、投写目標物の略中心位置とが重なるように、投写型映像表示装置１Ａの位置合わせを実施する。
この結果、投写型映像表示装置１Ａに電源を投入して投写させることなく、容易に投写型映像表示装置１Ａの投写レンズ１１０の光軸ＡＸと投写目標物の中心とを略一致させることができる。よって、接続される配線の数が多く重量が大きい大型の投写型映像表示装置１Ａを仮設置する場合でも投写方向の正確性向上を図ることができる。
【００２５】
（第３実施の形態）
本開示の第３実施の形態について、図６から図８を用いて説明する。
なお、第１実施の形態および第２実施の形態において説明した部品と同じ機能を有する部品については、同一符号を付して説明を省略する。
本実施形態の投写型映像表示装置１Ｂでは、筐体１００を構成する上面１００ａ上に形成される目印として、図６に示すように、前方突起５２Ａと後方突起５２Ｂとが設けられている点で、上記第１・第２実施の形態とは異なっている。
【００２６】
すなわち、本実施形態では、前方突起５２Ａは上記第１実施の形態の前方凸部５０Ａと同様の形状を有しており、後方突起５２Ｂは上記第２実施の形態の後方突部５１Ｂと同様の形状を有している。
前方突起５２Ａは、図７に示すように、上面１００ａにおける投写レンズ１１０の直上に形成されており、上面１００ａから上方に向かって突出するように形成されている。より具体的には、前方突起５２Ａは、上面１００ａ上であって、投写レンズ１１０の光軸ＡＸと上面１００ａとの距離が最短距離となる位置で、かつ投写レンズ１１０が設けられた第１側面１００ｂ側に配置されている。換言すれば、前方突起５２Ａは、上面１００ａ上における投写レンズ１１０の直上であって、第１側面１００ｂ側の左右方向中央部分に配置されている。
【００２７】
後方突起５２Ｂは、上面１００ａから上方に向かって突出する凹状の部材として形成されている。また、後方突起５２Ｂは、図６に示すように、上面１００ａ上であって、投写レンズ１１０の光軸ＡＸを含む平面と上面１００ａとが交差する交線上で、かつ投写レンズ１１０が設けられた第１側面１００ｂとは反対側の第２側面１００ｃ側に配置されている。つまり、後方突起５２Ｂは、上面１００ａ上における第２側面１００ｃ側において、前方突起５２Ａと同様に、左右方向中央部分に配置されている。
【００２８】
また、前方突起５２Ａおよび後方突起５２Ｂは、投写レンズ１１０からの投写方向を示す指針として設けられており、上面１００ａとともに一体成形されている。これにより、上面１００ａを樹脂等で成形する際に、前方突起５２Ａと後方突起５２Ｂとを一体化して成形することができる。
ここで、本実施形態では、投写型映像表示装置１Ｂの仮設置時に使用される目印として、前方突起５２Ａと凹状の後方突起５２Ｂとが上面１００ａ上に形成されている。このため、凹状の後方突起５２Ｂの２つの突出部分の間には、谷間５２ＢＢが形成される。
【００２９】
これにより、仮設置時における位置合わせを実施する際には、使用者は、筐体１００の第２側面１００ｃ側に移動し、第２側面１００ｃ側から、後方突起５２Ｂの谷間５２ＢＢと前方突起５２Ａとが重なった方向と、投写目標物の略中心位置とがほぼ一致するように、投写型映像表示装置１Ｂの位置合わせを実施する。
この結果、投写型映像表示装置１Ｂに電源を投入して投写させることなく、容易に投写型映像表示装置１Ｂの投写レンズ１１０の光軸ＡＸと投写目標物の中心とを略一致させることができる。よって、接続される配線の数が多く重量が大きい大型の投写型映像表示装置１Ｂを仮設置する場合でも、投写方向の正確性向上を図ることができる。
【００３０】
（第４実施の形態）
本開示の第４実施の形態について、図９から図１１を用いて説明する。
なお、第１実施の形態から第３実施の形態において説明した部品と同じ機能を有する部品については、同一符号を付して説明を省略する。
本実施形態の投写型映像表示装置１Ｃでは、筐体１００を構成する上面１００ａ上に形成される目印として、図９に示すように、突条５３が設けられている点で、上記第１から第３実施の形態とは異なっている。
【００３１】
突条５３は、図１０に示すように、投写レンズ１１０からの投写方向を示す指針として、上面１００ａにおける投写レンズ１１０の直上に形成されており、上面１００ａから上方に向かって突出するように形成されている。より具体的には、突条５３は、上面１００ａ上であって、投写レンズ１１０の光軸ＡＸと上面１００ａとの距離が最短距離となる位置を通る光軸ＡＸに平行な線に沿って配置されている。換言すれば、突条５３は、図９および図１１に示すように、上面１００ａ上における投写レンズ１１０の直上であって、第１側面１００ｂ側から第２側面１００ｃ側にかけて延伸するように配置されている。また、突条５３は、筐体１００の上面１００ａと一体成形されている。これにより、上面１００ａを樹脂等で成形する際に、突条５３を一体化して成形することができる。
【００３２】
ここで、本実施形態では、投写型映像表示装置１Ｃの仮設置時に使用される目印として、第１側面１００ｂ側から第２側面１００ｃ側まで延伸する突条５３が形成されている。
これにより、仮設置時における位置合わせを実施する際には、使用者は、筐体１００の第２側面１００ｃ側に移動し、第２側面１００ｃ側から、突条５３が延伸する方向に沿って、突条５３の先端位置が投写目標物の略中心と重なるように投写型映像表示装置１Ｃの位置合わせを実施する。
【００３３】
この結果、投写型映像表示装置１Ｃに電源を投入して投写させることなく、容易に投写型映像表示装置１Ｃの投写レンズ１１０の光軸ＡＸと投写目標物の中心とを略一致させることができる。よって、接続される配線の数が多く重量が大きい大型の投写型映像表示装置１Ｃを仮設置する場合でも、投写方向の正確性向上を図ることができる。
【００３４】
（第５実施の形態）
本開示の第５実施の形態について、図１２から図１４を用いて説明する。
なお、第１実施の形態から第４実施の形態において説明した部品と同じ機能を有する部品については、同一符号を付して説明を省略する。
本実施形態の投写型映像表示装置１Ｄでは、筐体１００を構成する上面１００ａ上に形成される目印として、図１２に示すように、溝（目印、載置部）５４が設けられている点で、上記第１から第４実施の形態とは異なっている。
【００３５】
溝５４は、図１３に示すように、投写レンズ１１０からの投写方向を示す指針として、上面１００ａにおける投写レンズ１１０の直上に形成されており、上面１００ａの一部を凹ませた状態で形成されている。より具体的には、溝５４は、上面１００ａ上であって、投写レンズ１１０の光軸ＡＸと上面１００ａとの距離が最短距離となる位置を通る光軸ＡＸに平行な線に沿って配置されている。換言すれば、溝５４は、図１４に示すように、上面１００ａ上における投写レンズ１１０の直上であって、第１側面１００ｂ側から第２側面１００ｃ側にかけて延伸するように配置されている。また、溝５４は、筐体１００の上面１００ａと一体成形されている。これにより、上面１００ａを樹脂等で成形する際に、溝５４を一体化して成形することができる。
【００３６】
ここで、本実施形態では、投写型映像表示装置１Ｄの仮設置時に使用される目印として、第１側面１００ｂ側から第２側面１００ｃ側まで延伸する溝５４が形成されている。
これにより、仮設置時における位置合わせを実施する際には、使用者は、筐体１００の第２側面１００ｃ側に移動し、第２側面１００ｃ側から、溝５４が延伸する方向に沿って、溝５４の先端位置が投写目標物の略中心と重なるように投写型映像表示装置１Ｄの位置合わせを実施する。
【００３７】
この結果、投写型映像表示装置１Ｄに電源を投入して投写させることなく、容易に投写型映像表示装置１Ｄの投写レンズ１１０の光軸ＡＸと投写目標物の中心とを略一致させることができる。よって、接続される配線の数が多く重量が大きい大型の投写型映像表示装置１Ｄを仮設置する場合でも、投写方向の正確性向上を図ることができる。
【００３８】
（第６実施の形態）
本開示の第６実施の形態について、図１５を用いて説明する。
なお、第１実施の形態から第５実施の形態において説明した部品と同じ機能を有する部品については、同一符号を付して説明を省略する。
本実施形態の投写型映像表示装置１Ｅでは、筐体１００を構成する上面１００ａ上に形成される目印として、第２実施の形態における凹状の前方突部５１Ａの谷間５１ＡＡおよび凹状の後方突部５１Ｂの谷間５１ＢＢに、図１５に示すように、補助目印物として、矩形状の定規５５が載置されている点で、上記第１から第５実施の形態とは異なっている。
【００３９】
なお、定規５５が載置される部分としては、第５実施の形態における溝５４であってもよい。
このように、筐体１００の上面１００ａに定規５５が装着された投写型映像表示装置１Ｅを設置する際には、使用者は、第２側面１００ｃ側へ移動し、定規５５の長手方向に沿って、定規５５の先端位置が投写目標物の略中心と重なるように投写型映像表示装置１Ｅの位置合わせを実施する。
【００４０】
このとき、補助目印物として定規５５を用いることで、より大きくなった目印として定規５５を活用することができる。
これにより、投写型映像表示装置１Ｅに電源を投入して投写させることなく、より容易に投写型映像表示装置１Ｅの投写レンズ１１０の光軸ＡＸと投写目標物の中心（特に水平方向における中心）とを略一致させることができる。この結果、接続される配線の数が多く重量が大きい大型の投写型映像表示装置１Ｅを仮設置する場合でも、投写方向の正確性向上を図ることができる。
【００４１】
以上のように、本出願において開示する技術の例示として、実施の形態を説明した。しかしながら、本開示における技術は、これに限定されず、適宜、変更、置き換え、付加、省略などを行った実施の形態にも適用可能である。
以上のように、本開示における技術の例示として、実施の形態を説明した。そのために、添付図面および詳細な説明を提供した。
【００４２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４３】
［他の実施形態］
以上、本開示の実施の形態について説明したが、上述の実施の形態は、本開示における技術を例示するためのものであるから、特許請求の範囲またはその均等の範囲において種々の変更、置き換え、付加、省略などを行うことができる。
（Ａ）
上記実施形態では、前方凸部５０Ａ、後方凸部５０Ｂ等の目印が、筐体１００の上面１００ａ上であって、投写レンズ１１０の光軸ＡＸと上面１００ａとが最短距離となる位置、つまり投写レンズ１１０の直上に配置された例を挙げて説明した。しかし、本開示はこれに限定されるものではない。
例えば、目印の配置としては、投写レンズの直上に限定されるものではなく、左右いずれか一方にずれた位置に設けられていてもよい。
【００４４】
（Ｂ）
上記実施の形態では、補助目印物として定規５５を用いた例を挙げて説明した。しかし、本開示はこれに限定されるものではない。
【００４５】
例えば、補助目印物として、レーザポインタを用いてもよい。
この場合には、例えば、図１３に示す溝５４にレーザポインタを載置して、レーザポインタから光を照射して投写目標物に対して位置合わせすればよい。
これにより、投写型映像表示装置の電源を入れる前の仮設置の段階で、従来よりも正確な位置合わせを実施することができる。
【００４６】
（Ｃ）
上記実施の形態では、例えば、前方凸部５０Ａ、後方凸部５０Ｂ，前方突部５１Ａ、後方突部５１Ｂ、前方突起５２Ａ，後方突起５２Ｂおよび突条５３が、筐体１００と一体形成されている例を挙げて説明した。しかし、本開示はこれに限定されるものではない。
例えば、別体で形成したものを筐体１００に溶着や接着等の接着手段により一体化した構成にしても同等の作用効果を奏することができる。
【００４７】
（Ｄ）
上記実施の形態では、前方凸部５０Ａ、後方凸部５０Ｂ，前方突部５１Ａ、後方突部５１Ｂ、前方突起５２Ａ、後方突起５２Ｂ、突条５３および溝５４が、床面設置状態における筐体１００の天面に設けられている例を挙げて説明した。しかし、本開示はこれに限定されるものではない。
例えば、目印は、天吊り設置時には底面に設けてもよいし、横向け設置時には上面を向く側面に設けてもよい。つまり、投写型映像表示装置の設置状態に応じて、筐体の上面を向く面に目印を設けた構成であればよい。
【００４８】
（Ｅ）
上記実施の形態では、前方凸部５０Ａ、後方凸部５０Ｂ、前方突部５１Ａ、後方突部５１Ｂ、前方突起５２Ａ、後方突起５２Ｂ、突条５３および溝５４の部分を、例えば、蓄光材や蛍光材を用いて形成してもよい。
さらに、前方凸部５０Ａ、後方凸部５０Ｂ、前方突部５１Ａ、後方突部５１Ｂ、前方突起５２Ａ、後方突起５２Ｂ、突条５３および溝５４に、蓄光材や蛍光材が塗布された構成を採用してもよい。
この構成により、薄暗い室内や夕方であっても目印を鮮明に認識することができる。
【００４９】
（Ｆ）
上記実施の形態では、筐体１００の上面１００ａ上における第１側面１００ｂ側と第２側面１００ｃ側とに、それぞれ前方凸部５０Ａ、後方凸部５０Ｂ、前方突部５１Ａ、後方突部５１Ｂ、前方突起５２Ａ、後方突起５２Ｂが配置されている構成、あるいは上面１００ａ上における第１側面１００ｂ側から第２側面１００ｃ側まで延伸する突条５３および溝５４が設けられた構成を例として挙げて説明した。しかし、本開示はこれに限定されるものではない。
【００５０】
例えば、筐体の外表面を構成する１つの面に、１つの三角形状の目印を設けた構成であってもよい。
この場合には、第２側面側に配置された三角形状の底辺側から見て、底辺の中心と底辺に対向する１つの頂点とを結ぶ直線の延長線上に、投写目標物が配置されるようにすることで、投写型映像表示装置の仮の位置合わせを実施することができる。
【００５１】
また、筐体の外表面を構成する１つの面上に１つの目印を設けた構成の場合には、投写型映像表示装置の外形部分の一部を組み合わせて位置合わせを実施してもよい。
【００５２】
例えば、投写レンズのレンズ鏡筒が筐体の外部まで飛び出している構成の場合には、筐体の第２側面側から見て、目印とレンズ鏡筒の頂点部分とを結ぶ直線の延長線上に、投写目標物が配置されるようにすることで、投写型映像表示装置の仮の位置合わせを実施することができる。
なお、目印の形状は、上記三角形状に限られるものではない。
【産業上の利用可能性】
【００５３】
本開示は、設置時に、投写させることなく投写方向を投写目標部に向けさせることができる投写型映像表示装置に適用可能である。
【符号の説明】
【００５４】
１，１Ａ，１Ｂ，１Ｃ，１Ｄ，１Ｅ  投写型映像表示装置
５０Ａ    前方凸部（目印）
５０Ｂ    後方凸部（目印）
５１Ａ    前方突部（突部、目印）
５１Ｂ    後方突部（突部、目印）
５１ＡＡ，５１ＢＢ  谷間（溝部、目印）
５２Ａ    前方突起（突部、目印）
５２Ｂ    後方突起（突部、目印）
５２ＢＢ  谷間（溝部、目印）
５３      突条（目印）
５４      溝（載置部、目印）
５５      定規（補助目印物）
１００      筐体
１００ａ    上面（外表面）
１００ｂ    第１側面
１００ｃ    第２側面
１００ｄ    第３側面
１００ｅ    第４側面
１００ｆ    底面
１１０      投写レンズ
ＡＸ      光軸
【図１】
2014197167.tif 000003
【図２】
2014197167.tif 000004
【図３】
2014197167.tif 000005
【図４】
2014197167.tif 000006
【図５】
2014197167.tif 000007
【図６】
2014197167.tif 000008
【図７】
2014197167.tif 000009
【図８】
2014197167.tif 000010
【図９】
2014197167.tif 000011
【図１０】
2014197167.tif 000012
【図１１】
2014197167.tif 000013
【図１２】
2014197167.tif 000014
【図１３】
2014197167.tif 000015
【図１４】
2014197167.tif 000016
【図１５】
2014197167.tif 000017